(57)【要約】【課題】本発明は、簡単かつ確実に操作することができ、ひいては導入コストや教育コストを抑えることが可能な生産管理システムおよび販売管理システムの提供を課題とする。【解決手段】クライアント端末３は、モニタにおいて地図画面１０を３次元で表示させ、地図画面１０上に倉庫１１、工場１２、小売店１３、輸送経路１４、本社１５のアイコン画像が表示される。地図画面１０においていずれかのアイコン画像１１〜１５がクリックされると、さらに該アイコン画像１１〜１５に対応する設備、機械類、あるいは在庫置き場所などのアイコン画像がクライアント端末３のモニタに３次元で表示される。【選択図】      図２
2007226701.tif 000002
【特許請求の範囲】
【請求項１】
生産管理および販売管理に用いられる生産・販売管理システムであって、
各種画面を表示する表示手段と、
生産管理および販売管理に関する情報を記憶するデータベースと、
前記表示手段において地図画面を２次元または３次元で表示させ、該地図画面上に工場、倉庫、小売店、または輸送経路などの少なくとも一つのアイコン画像を２次元または３次元で表示させる画像表示制御手段と、
前記工場、倉庫、小売店、または輸送経路などのいずれかのアイコン画像が選択されると、前記データベースから該アイコン画像に対応する生産管理情報または販売管理情報を取得する取得手段と、
該取得手段により取得された生産管理情報または販売管理情報を前記表示手段に表示させる情報表示制御手段とを備えることを特徴とする生産・販売管理システム。
【請求項２】
前記工場のアイコン画像が選択されると、工場に対応する設備、機械類、あるいは在庫置き場所などの画像を前記表示手段に２次元または３次元で表示させ、それらいずれかの画像が選択されると、前記データベースから該画像に対応する生産管理情報を取得して、該生産管理情報を前記表示手段に表示させるものとなされている請求項１に記載の生産・販売管理システム。
【請求項３】
前記倉庫のアイコン画像が選択されると、複数の在庫ブロックから構成された倉庫の空き状況に関する画像を前記表示手段に２次元または３次元で表示させ、いずれかの在庫ブロックの画像が選択されると、前記データベースから該在庫ブロックに対応する生産管理情報を取得して、該生産管理情報を前記表示手段に表示させるものとなされている請求項１または請求項２のいずれかに記載の生産・販売管理システム。
【請求項４】
前記在庫ブロックは、在庫量に応じて色分けされている請求項３に記載の生産・販売管理システム。
【請求項５】
データベースサーバ、アプリケーションサーバ、およびクライアント端末の構成からなる請求項１ないし請求項４に記載の生産・販売管理システム。
【請求項６】
コンピュータを、
各種画面を表示する表示手段、
前記表示手段において地図画面を２次元または３次元で表示させ、該地図画面上に生産管理および販売管理に関する情報を記憶するデータベース、
工場、倉庫、小売店、または輸送経路の少なくとも一つのアイコン画像を２次元または３次元で表示させる画像表示制御手段、
前記工場、倉庫、小売店、または輸送経路のいずれかのアイコン画像が選択されると、前記データベースから該アイコン画像に対応する生産管理情報または販売管理情報を取得する取得手段、
該取得手段により取得された生産管理情報または販売管理情報を前記表示手段に表示させる情報表示制御手段として機能させるコンピュータプログラム。
【請求項７】
コンピュータを、
各種画面を表示する表示手段、
生産管理および販売管理に関する情報を記憶するデータベース、
前記表示手段において地図画面を２次元または３次元で表示させ、該地図画面上に工場、倉庫、小売店、または輸送経路の少なくとも一つのアイコン画像を２次元または３次元で表示させる画像表示制御手段、
前記工場、倉庫、小売店、または輸送経路のいずれかのアイコン画像が選択されると、前記データベースから該アイコン画像に対応する生産管理情報または販売管理情報を取得する取得手段、
該取得手段により取得された生産管理情報または販売管理情報を前記表示手段に表示させる情報表示制御手段として機能させるコンピュータプログラムが記録された記録媒体。
【発明の詳細な説明】
【技術分野】
【０００１】
本発明は、生産管理および販売管理を簡単かつ確実に行うことができる生産・販売管理システムに関する。
【背景技術】
【０００２】
従来、生産効率の向上、コストダウン、在庫削減などを目的として、様々な生産管理システムや販売管理システムが利用されている。
【０００３】
例えば、生産管理システムでは、工場などにおいて生産基準情報から受注、生産計画、所要量計算、手配指示、スケジュール、実績進捗、品質、出荷、在庫、原価までをカバーし、金型管理、保全管理、CAD連携、ロット管理などのオプションシステムは必要に応じて自在な選択ができるものが知られている。
【０００４】
また、販売管理システムでは、小売店の販売状況、倉庫の在庫状況、輸送経路などを管理したり、売上売掛管理、仕入買掛管理機能により、生産・販売業務一体のシステム運用が行なえたりするものが知られている。
【０００５】
これら生産管理システムや販売管理システムでは、各種メニューが並列構造やツリー構造に構成され、それらメニューから選択するもので、視覚的および感覚的に複雑であった。
【発明の開示】
【発明が解決しようとする課題】
【０００６】
ゆえに、各種メニューは専門用語で記述されている場合が多く、それら専門用語の知識が必要な上に、生産管理システムや販売管理システム自体の知識が必要であった。しかも、実際に在庫がある場所や、部材の移動先はコードで表示されていることが多く、担当者が多くのコードを覚える必要があった。このため、従来の生産管理システムや販売管理システムの操作は容易なものではなく、その教育にも多大な費用がかかるという問題があった。
【０００７】
本発明は、上述の問題に鑑みてなされたものであって、簡単かつ確実に操作することができ、ひいては導入コストや教育コストを抑えることが可能な生産管理システムおよび販売管理システムの提供を課題とする。
【課題を解決するための手段】
【０００８】
本発明は、上記課題を解決するために、生産管理および販売管理に用いられる生産・販売管理システムであって、各種画面を表示する表示手段と、生産管理および販売管理に関する情報を記憶するデータベースと、前記表示手段において地図画面を２次元または３次元で表示させ、該地図画面上に工場、倉庫、小売店、または輸送経路などの少なくとも一つのアイコン画像を２次元または３次元で表示させる画像表示制御手段と、前記工場、倉庫、小売店、または輸送経路などのいずれかのアイコン画像が選択されると、前記データベースから該アイコン画像に対応する生産管理情報または販売管理情報を取得する取得手段と、該取得手段により取得された生産管理情報または販売管理情報を前記表示手段に表示させる情報表示制御手段とを備えることを特徴とする。
【０００９】
また、前記工場のアイコン画像が選択されると、工場に対応する設備、機械類、あるいは在庫置き場所などの画像を前記表示手段に２次元または３次元で表示させ、それらいずれかの画像が選択されると、前記データベースから該画像に対応する生産管理情報を取得して、該生産管理情報を前記表示手段に表示させてもよい。
【００１０】
また、前記倉庫のアイコン画像が選択されると、複数の在庫ブロックから構成された倉庫の空き状況に関する画像を前記表示手段に２次元または３次元で表示させ、いずれかの在庫ブロックの画像が選択されると、前記データベースから該在庫ブロックに対応する生産管理情報を取得して、該生産管理情報を前記表示手段に表示させてもよい。
【００１１】
また、前記在庫ブロックは、在庫量に応じて色分けされていてもよい。
【００１２】
また、データベースサーバ、アプリケーションサーバ、およびクライアント端末の構成からなるものであってもよい。
【００１３】
本発明に係るコンピュータプログラムは、コンピュータを、各種画面を表示する表示手段、前記表示手段において地図画面を２次元または３次元で表示させ、該地図画面上に生産管理および販売管理に関する情報を記憶するデータベース、工場、倉庫、小売店、または輸送経路の少なくとも一つのアイコン画像を２次元または３次元で表示させる画像表示制御手段、前記工場、倉庫、小売店、または輸送経路のいずれかのアイコン画像が選択されると、前記データベースから該アイコン画像に対応する生産管理情報または販売管理情報を取得する取得手段、該取得手段により取得された生産管理情報または販売管理情報を前記表示手段に表示させる情報表示制御手段として機能させる。
【００１４】
本発明に係る記録媒体は、コンピュータを、各種画面を表示する表示手段、生産管理および販売管理に関する情報を記憶するデータベース、前記表示手段において地図画面を２次元または３次元で表示させ、該地図画面上に工場、倉庫、小売店、または輸送経路の少なくとも一つのアイコン画像を２次元または３次元で表示させる画像表示制御手段、前記工場、倉庫、小売店、または輸送経路のいずれかのアイコン画像が選択されると、前記データベースから該アイコン画像に対応する生産管理情報または販売管理情報を取得する取得手段、該取得手段により取得された生産管理情報または販売管理情報を前記表示手段に表示させる情報表示制御手段として機能させるコンピュータプログラムが記録されている。
【発明の効果】
【００１５】
本発明によれば、工場、倉庫、小売店、または輸送経路がアイコン画像で表示され、それらアイコン画像をクリック等により選択するだけで、生産情報や販売情報を閲覧することができる。このため、生産管理システムや販売管理システムを簡単かつ確実に操作することができ、ひいては導入コストや教育コストを抑えることができ経済的である。
【発明を実施するための最良の形態】
【００１６】
次に本発明の一実施形態について図面を参照しつつ説明する。
【００１７】
図１は、本実施形態に係る生産・販売管理システムの構成概略図である。
【００１８】
本システムは、データベースサーバ（１）、アプリケーションサーバ（２）、および一ないし複数のクライアント端末（３）からなり、それぞれネットワークを介して通信可能な状態に接続されている。
【００１９】
前記データベースサーバ（１）は、生産管理に関する情報（以下、生産管理情報という）と販売管理に関する情報（以下、販売管理情報という）を記憶するものである。
【００２０】
前記アプリケーションサーバ（２）は、クライアント端末（３）からの要求に応じて生産管理情報および販売管理情報を取得した上でクライアント端末（３）に表示させる機能を有し、またそれに対するクライアント端末（３）からの更新をデータベースサーバ（１）に反映させる機能を有する。
【００２１】
前記クライアント端末（３）は、いわゆるパソコンと呼ばれるものであり、コンピュータ本体、キーボード、マウス、およびモニタ（表示手段）等から構成される。
【００２２】
このクライアント端末（３）は、図２に示すように、モニタにおいて地図画面（１０）を２次元または３次元で表示させ、該地図画面（１０）上に倉庫（１１）、工場（１２）、小売店（１３）、輸送経路（１４）、本社（１５）のアイコン画像が表示される。操作者は、主にマウスにより所望のアイコン画像（１１）〜（１５）をクリックして選択するものとなされている。
【００２３】
また、前記地図画面（１０）においていずれかのアイコン画像（１１）〜（１５）が選択されると、さらに該アイコン画像（１１）〜（１５）に対応する設備、機械類、あるいは在庫置き場所などのアイコン画像がクライアント端末（３）のモニタに２次元または３次元で表示される。
【００２４】
例えば、工場のアイコン画像（１２）が選択されると、図３に示すように工場内の機械類画像（１６）が表示される。そして、該機械類画像（１６）が選択されると、前記アプリケーションサーバ（２）を介して該機械類に対応する生産情報（例えば、生産能力、稼働状況、予定、機械情報、スケジュール、担当者など）が取得され、それが詳細情報画面（１７）としてクライアント端末（３）のモニタに表示されるので、生産能力の向上と生産予定の把握に役立てることができる。
【００２５】
また、倉庫（１１）のアイコン画像が選択されると、図４に示すように倉庫内の空き状況画像（１８）が表示される。この画像では倉庫内が複数の在庫ブロックに分けて構成されている。各在庫ブロックにおける在庫量が色分けされ（例えば、０〜３０％は青色、３１〜６０％は黄色、６１〜１００％が赤色）、これにより操作者は倉庫内の空き状況を一目で把握することができる。また、いずれかの在庫ブロックが選択されると、前記アプリケーションサーバ（２）を介して該在庫ブロックにおける詳細情報（サイト、エリア、ロケーション、資源、ロットなど）が取得され、それら詳細情報画面（１９）としてクライアント端末（３）のモニタに表示される。
【００２６】
なお、本実施形態では、データベースサーバ（１）、アプリケーションサーバ（２）、およびクライアント端末（３）からなるものとしたが、これらの機能が一台のコンピュータで構成されるものとしてもよい。
【００２７】
また、各種画面やアイコン画像は、本実施形態のものに限定されるものではなく、その他の画面やアイコン画像であってもよい。
【図面の簡単な説明】
【００２８】
【図１】本実施形態に係るシステムの構成概略図である。
【図２】地図画面上に各アイコン画像が表示された画面を示す図である。
【図３】工場内の機械類画像を示す図である。
【図４】倉庫内の空き状況画像を示す図である。
【符号の説明】
【００２９】
１・・・データベースサーバ
２・・・アプリケーションサーバ
３・・・クライアント端末
１０・・・地図画面
１１・・・倉庫アイコン画像
１２・・・工場アイコン画像
１３・・・小売店アイコン画像
１４・・・輸送経路アイコン画像
１５・・・本社アイコン画像
【図１】
2007226701.tif 000003
【図２】
2007226701.tif 000004
【図３】
2007226701.tif 000005
【図４】
2007226701.tif 000006